(57)【要約】【課題】  構造が簡単であるとともに、車室内の外観を悪化させることなく、芳香剤パッケージを容易に交換できる芳香剤パッケージを提供する。【解決手段】  空調装置の空気通路１６の近傍に芳香剤パッケージ１９を着脱可能に収容するための収容室２０を設ける。収容室２０には空気通路１６に連通する連通口２１と、収容室２０内に芳香剤パッケージ１９を出し入れするためのパッケージ出入口２０ａとを設ける。芳香剤パッケージ１９を収容室２０内に収容した状態で連通口２１と対応するように、芳香剤パッケージ１９上には芳香剤２４を備える。【選択図】      図２
2005125872.tif 000002
【特許請求の範囲】
【請求項１】
空調装置の空気通路の近傍に芳香剤パッケージを着脱可能に収容するための収容室を設け、その収容室には空気通路に連通する連通口を設け、収容室内に芳香剤パッケージを出し入れするための同収容室のパッケージ出入口を車室に向かって開口したことを特徴とする空調用レジスタ。
【請求項２】
前記パッケージ出入口は空気通路の空気吹出口の近傍に設けられていることを特徴とする請求項１に記載の空調用レジスタ。
【請求項３】
前記収容室には、収容室に収容された状態の芳香剤パッケージを押すことにより、芳香剤パッケージを収容位置に保持する機能と、その保持位置から外方へ押し出す機能とを有するプッシュオープン機構が設けられていることを特徴とする請求項１または請求項２に記載の空調用レジスタ。
【請求項４】
収容室が空気通路の延長方向に沿って延びていることを特徴とする請求項１〜請求項３のうちのいずれか一項に記載の空調用レジスタ。
【請求項５】
請求項１〜請求項４のうちのいずれか一項に記載の空調用レジスタに使用する芳香剤パッケージであって、前記収容室内に収容された状態で連通口と対応する位置に芳香剤を備えたことを特徴とする芳香剤パッケージ。
【請求項６】
全体として板状をなし、前記芳香剤が一側面に設けられたことを特徴とする請求項５に記載の芳香剤パッケージ。
【発明の詳細な説明】
【技術分野】
【０００１】
この発明は、例えば自動車等の車両における空調用レジスタ、及びそれに使用する芳香剤パッケージに関するものである。なお、ここでは、消臭剤や脱臭剤も芳香剤として扱い、香りとは、芳香成分だけではなく、消臭剤や脱臭剤の成分をも含むものとする。
【背景技術】
【０００２】
従来、自動車等の車両において、車室内に香りを発生するための芳香剤としては、例えば次のようなタイプのものが知られている。
（Ａ）  瓶状の容器内に芳香剤が充填され、その容器の上面には放散部が設けられるとともに、底面には粘着テープが設けられている。そして、この粘着テープを介して、容器を車室内のインストルメントパネルの上面等に貼り付け、前記放散部から香りが車室内に放散されるようになっている。
【０００３】
（Ｂ）  合成樹脂製の容器内に芳香剤が充填され、その容器の一側面に放散溝が形成されるとともに、他側面に係止片が突設されている。そして、この係止片を車両の空調用レジスタのフィンに係止して、容器をレジスタの空気吹出口の外面に取り付けた状態で、放散溝から香りが放散されるようになっている。
【０００４】
（Ｃ）  任意の形状に裁断された紙製の含浸材に芳香剤が含浸され、その含浸材の上端に吊下紐が設けられている。そして、この吊下紐を介して、含浸材を車室内の任意の位置に吊り下げた状態で、その含浸材から香りが放散されるようになっている。
【０００５】
（Ｄ）  芳香剤が小さな粒状に形成されている。そして、この粒状の芳香剤は灰皿等に収容され、それを開放させたときに、香りが放散されるようになっている。
また、住宅等の室内において、空気調整を行うための空調装置に装備される芳香構成として、例えば、特許文献１及び特許文献２に開示されるような構成が提案されている。
【０００６】
特許文献１の構成では、空調装置の空気吸込部と空気吹出部との間の空気経路に溶剤吐出手段が配設され、この溶剤吐出手段から芳香や消臭等の溶剤が吐出されて、調整空気とともに空気吹出部から室内に吹き出されるようになっている。
【０００７】
特許文献２の構成では、空調装置に空調用区画と、その空調用区画に隣接する芳香剤収納区画とが形成され、芳香剤収納区画内のクロスフローファンの内部には芳香剤を収納可能な芳香剤収納台が設けられている。そして、芳香剤収納用蓋を開閉して、芳香剤収納台に芳香剤を収納した状態で、その芳香剤から放散される香りが芳香剤収納区画の前方下部の空気吹出口から室内に流出するようになっている。
【特許文献１】特開平１０−２０５７９１号公報
【特許文献２】特開２００３−８３５６１号公報
【発明の開示】
【発明が解決しようとする課題】
【０００８】
しかしながら、前述した従来の芳香剤及び芳香構成においては、次のような問題があった。
前記（Ａ）タイプでは、芳香剤の容器が通常の瓶の形状であるために、車室内において配置箇所を自在に選択することができず、取り扱いに不便である。また、容器が粘着テープの粘着力のみにより設置箇所に支持されるので、車両走行時の振動等により、設置箇所から落下したりするおそれがあった。
【０００９】
前記（Ｂ）タイプでは、芳香剤の容器が空調用レジスタの空気吹出口を塞いだ状態で取り付けられるため、空気吹出口から吹き出される空気の風向や風速等の空調性能が低下する。
【００１０】
前記（Ｃ）タイプでは、芳香剤が紙製の含浸材に含浸された構成であるため、芳香剤の量が少なく、芳香能力に劣るばかりでなく、吊下紐により吊り下げられて使用するものであるため、高級感に乏しい。
【００１１】
前記（Ｄ）タイプでは、車両の走行中に、粒状の芳香剤が灰皿内で移動したり、飛び跳ねたりするため、異音を発生して耳障りであった。さらに、粒状芳香剤が灰皿内から落ちた場合には、拾い上げて除去するのが面倒であるばかりでなく、粒状芳香剤がインストルメントパネルの内部等に入り込んで機械部品や電気部品に対して障害を与えるおそれもあった。
【００１２】
しかも、前記（Ａ）〜（Ｃ）のいずれのタイプにおいても、芳香剤やその容器が車室内に露出状態で配置されるため、車室内の外観が悪くなる。
さらに、前記特許文献１及び特許文献２に開示された構成は、住宅等の室内を空調するための空調装置であるため、その構成が車両のものとは大きく異なり、例えば、芳香剤の装着構成を車両に適用することができず、車両用の空調装置に応用するのは困難であった。
【００１３】
この発明は、このような従来の技術に存在する問題点に着目してなされたものである。その目的は、構造が簡単であるとともに、車室内の外観を悪化させることなく、芳香剤パッケージを容易にセットすることができるとともに、交換も容易な空調用レジスタを提供することにある。
【００１４】
この発明のその上の目的は、前記のような空調用レジスタに適した芳香剤パッケージを提供することにある。
【課題を解決するための手段】
【００１５】
上記の目的を達成するために、請求項１に記載の空調用レジスタに係る発明は、空調装置の空気通路の近傍に芳香剤パッケージを着脱可能に収容するための収容室を設け、その収容室には空気通路に連通する連通口を設け、収容室内に芳香剤パッケージを出し入れするための同収容室のパッケージ出入口を車室に向かって開口したことを特徴とするものである。
【００１６】
請求項２に記載の発明は、請求項１に記載の発明において、前記パッケージ出入口は空気通路の空気吹出口の近傍に設けられていることを特徴とするものである。
請求項３に記載の発明は、請求項１または請求項２に記載の発明において、前記収容室には、収容室に収容された状態の芳香剤パッケージを押すことにより、芳香剤パッケージを収容位置に保持する機能と、その保持位置から外方へ押し出す機能とを有するプッシュオープン機構が設けられていることを特徴とするものである。
【００１７】
請求項４に記載の発明においては、請求項１〜請求項３のうちのいずれか一項に記載の発明において、収容室が空気通路の延長方向に沿って延びていることを特徴とするものである。
【００１８】
請求項５に記載の芳香剤パッケージに係る発明は、請求項１〜請求項４のうちのいずれか一項に記載の空調用レジスタに使用する芳香剤パッケージであって、前記収容室内に収容された状態で、連通口と対応する位置に芳香剤を備えたことを特徴とするものである。
【００１９】
請求項６に記載の発明においては、請求項５に記載の発明において、全体として板状をなし、前記芳香剤が一側面に設けられたことを特徴とするものである。
（作用）
請求項１に記載の発明においては、空気通路の近傍に芳香剤パッケージを着脱可能に収容するための収容室を付設すればよく、空調用レジスタの構成を大幅に変更することなく、その構成が簡単で容易に実施することができる。また、芳香剤パッケージを外部に露出することなく、収容室内に収容セットすることができるため、車室内の外観の悪化を防止することができるとともに、芳香剤パッケージを収容室に対して出し入れするのみでよい。よって、芳香剤パッケージの交換を簡単に行うことができるとともに、芳香剤パッケージが収容室から脱落するのを防止することができる。さらに、芳香剤パッケージからの香りが連通口を介して空気通路に流出した後、空気通路の空気吹出口から車室内に放出されるため、車室内には調整空気とともに適度の香りを放出することができる。しかも、芳香剤パッケージが空気通路内や空気吹出口に直接配置されていないため、空気吹出口からの空気の風向や風速等の空調性能に悪影響を及ぼすおそれもない。
【００２０】
請求項２に記載の発明においては、空気吹出口の近傍のパッケージ出入口から、収容室内に芳香剤パッケージを容易に出し入れすることができて、その芳香剤パッケージの交換を迅速に行うことができる。
【００２１】
請求項３に記載の発明においては、芳香剤パッケージを押すごとに、プッシュオープン機構により、芳香剤パッケージが収容室の収容位置と、収容室のパッケージ出入口から突出した取出位置とに移動配置される。よって、収容室に対する芳香剤パッケージの出し入れを一層容易に行うことができる。
【００２２】
請求項４に記載の発明においては、収容室が空気通路の延長方向に沿って延びているため、その収容室をコンパクトに搭載することができる。
請求項５に記載の発明においては、前記のような空調用レジスタに適した芳香剤パッケージを提供することができる。
【００２３】
請求項６に記載の発明では、芳香剤パッケージが板状をなしているため、かさばることがなく、保管等の取り扱いが容易である。また、空調用レジスタの収容室を扁平な形状にすることができ、空調用レジスタ全体の小型化に寄与できる。さらに、芳香剤が設けられていない側の側面が連通孔に対向するように芳香剤パッケージを裏返し状態で収容室内に挿入すれば、車室内に香りを放出させることなく、芳香剤パッケージを収容室内に収容できる。
【発明の効果】
【００２４】
以上のように、この発明によれば、構造が簡単であるとともに、車室内の外観を悪化させることなく、芳香剤パッケージを容易に交換することができるという効果を発揮する。
【発明を実施するための最良の形態】
【００２５】
以下に、この発明の一実施形態を、図面に基づいて説明する。
図１に示すように、車両の車室内に配設されたインストルメントパネル１１の左右両端部及び中央部には、外気や、図示しない空調装置で調整された空気を車室内に向かって吹き出すための空調用レジスタ１２，１３が配設されている。
【００２６】
図１〜図３に示すように、前記各空調用レジスタ１２，１３のレジスタ本体１４は合成樹脂等によりほぼ四角筒状に形成され、その内端部には空気供給側から延びる供給ダクト１５が接続されている。レジスタ本体１４内の空気通路１６の外端部には車室内に開口する空気吹出口１６ａが設けられている。空気吹出口１６ａ及びその内部には、風向を調整するための回動可能な複数のフィン１７及び空気通路１６を開閉するための回動可能なダンパ１８が配設されている。なお、フィン１７やダンパ１８は、手動あるいはモータ（図示しない）により回動される。
【００２７】
図１〜図４に示すように、前記空気通路１６の下部近傍においてレジスタ本体１４には、芳香剤パッケージ１９を着脱可能に収容するための収容室２０が空気通路１６の延長方向に沿って延びるように形成されている。収容室２０の外端部には収容室２０内に芳香剤パッケージ１９を出し入れするためのパッケージ出入口２０ａが形成され、空気通路１６の空気吹出口１６ａの近傍において車室内に向かって開口されている。また、収容室２０の上面ほぼ中央部には空気通路１６内に連通する連通口２１が形成されている。
【００２８】
図１〜図５に示すように、前記芳香剤パッケージ１９のパッケージ本体２２は合成樹脂等によりほぼ四角板状に形成されている。パッケージ本体２２の上面の先端寄り中央部には凹所２３が形成され、その凹所２３内には芳香剤２４が充填されている。この芳香剤２４は、例えば、多孔質の合成樹脂板内部に芳香成分を含浸または充填させたり、ゲル状物質に芳香成分を混合させたりして構成される。そして、芳香剤パッケージ１９が収容室２０内に収容セットされた状態で、この凹所２３内の芳香剤２４が収容室２０上の連通口２１に対応配置されて、空気通路１６内に露出されるようになっている。
【００２９】
収容室２０の側面の一部には弾性変形可能な弱い板バネよりなる係止片２６が突出形成されている。そして、図４に実線で示すように、芳香剤パッケージ１９が収容室２０内に収容されたとき、この係止片２６が芳香剤パッケージ１９に軽く係合されて、芳香剤パッケージ１９が収容室２０内の収容位置Ｐ１において保持されるようになっている。
【００３０】
図２、図４及び図５に示すように、前記収容室２０内の奥部にはプッシュオープン機構２７が配設されている。すなわち、収容室２０内には作動板２８が芳香剤パッケージ１９の出入方向及びそれと直交する方向へ移動可能に配設され、その上面には係合ピン２９が突設されている。作動板２８と収容室２０の内面との間には、作動板２８を収容室２０のパッケージ出入口２０ａ側に向かって移動付勢するためのバネ３０が介装されている。このバネ３０は、前記係止片２６が芳香剤パッケージ１９に付与するバネ力に打ち勝つバネ力を有している。収容室２０の上壁内面にはほぼハート形の溝カム３１が形成され、この溝カム３１内には前記係合ピン２９が移動可能に係合されている。
【００３１】
そして、図４に実線で示すように、芳香剤パッケージ１９がパッケージ出入口２０ａから収容室２０内の奥部まで挿入されると、芳香剤パッケージ１９が作動板２８に当たり、その作動板２８がバネ３０の付勢力に抗して収容室２０内の奥部に移動される。この状態では、図２及び図４に示すように、芳香剤パッケージ１９の一端部が収容室２０のパッケージ出入口２０ａに位置する。そして、この状態で、前記バネ３０の付勢力により係合ピン２９が溝カム３１の窪み部３１ａに係合される。
【００３２】
ここで、パッケージ出入口２０ａに位置する芳香剤パッケージ１９の一端部をバネ３０の付勢力に抗して押したときには、係合ピン２９が溝カム３１の窪み部３１ａから離脱して、溝カム３１の片側に移動する。そして、係合ピン２９と溝カム３１とのカム作用により、作動板２８及び芳香剤パッケージ１９はバネ３０の付勢力による収容室２０のパッケージ出入口２０ａ側への移動が許容される。従って、図４に２点鎖線で示すように、係合ピン２９が溝カム３１に沿って移動されて、その溝カム３１の先端部３１ｂに係合され、芳香剤パッケージ１９がパッケージ出入口２０ａから突出した取出位置Ｐ２に配置されるようになっている。
【００３３】
次に、前記のように構成された空調用レジスタの作用を説明する。
さて、この空調用レジスタ１２，１３において、芳香剤パッケージ１９を使用する場合には、空気吹出口１６ａの下部近傍のパッケージ出入口２０ａから収容室２０内に芳香剤パッケージ１９を挿入して、収容室２０内に収容する。すると、図４に実線で示すように、作動板２８が移動されて、その係合ピン２９がバネ３０のバネ力により溝カム３１の窪み部３１ａに係合され、芳香剤パッケージ１９がパッケージ出入口２０ａ内に没入した収容位置Ｐ１において、係止片２６のバネ力により保持される。
【００３４】
そして、この状態においては、図２及び図４に示すように、芳香剤パッケージ１９の端部がパッケージ出入口２０ａに位置するとともに、芳香剤パッケージ１９上の芳香剤２４が収容室２０の連通口２１に対応配置されて、空気通路１６内に露出されている。従って、この状態で空調装置の作動に伴い、その空調空気が供給ダクト１５を介して空気通路１６に供給された後、その空気吹出口１６ａから車室内に向けて吹き出されるとき、図２及び図３に矢印で示すように、芳香剤２４から空気通路１６の空気流中に香りが放散される。よって、空気吹出口１６ａからは適度の香りを含んだ空気が吹き出されることになる。
【００３５】
また、この芳香剤パッケージ１９の使用時には、芳香剤パッケージ１９が外部に露出することなく、収容室２０内の収容位置Ｐ１に収容セットされているため、車室内の外観の悪化を招くことがないとともに、芳香剤パッケージ１９が邪魔になることもない。しかも、芳香剤パッケージ１９が収容室２０内の収容位置Ｐ１内に係止保持されているため、車両が走行に伴って振動しても、芳香剤パッケージ１９が収容室２０内から脱落するおそれもない。さらに、芳香剤パッケージ１９が空気通路１６内に突出配置されたり、空気吹出口１６ａの外面に露出配置されたりしていないため、空気吹出口１６ａからの空気の風向や風速等の空調性能に悪影響を及ぼすこともない。
【００３６】
このように、芳香剤パッケージ１９の使用に伴い、芳香剤２４の芳香作用が低下した場合には、収容位置Ｐ１にセットされた芳香剤パッケージ１９の車室側の端部を押す。これにより、係合ピン２９が溝カム３１の窪み部３１ａから同溝カム３１の片側に移動され、さらに、バネ３０の付勢力により先端部３１ｂに移動される。このため、図４に鎖線で示すように、作動板２８がパッケージ出入口２０ａ側に移動され、芳香剤パッケージ１９がパッケージ出入口２０ａから突出した取出位置Ｐ２に配置される。よって、この状態において使用済みの芳香剤パッケージ１９を収容室２０内から容易に取り出すことができる。
【００３７】
そして、この使用済みの芳香剤パッケージ１９の取り出し後に、新しい芳香剤パッケージ１９をパッケージ出入口２０ａから収容室２０内に挿入すれば、前記の場合と同様に、その芳香剤パッケージ１９が収容室２０内の収容位置Ｐ１に保持される。以上のように、芳香剤パッケージ１９の交換を容易かつ迅速に行うことができる。
【００３８】
さらに、芳香剤２４が設けられていない側の側面が連通孔に対向するように芳香剤パッケージ１９を裏返し状態でパッケージ出入口２０ａから収容室２０内に挿入すれば、車室内に香りを放出させることなく、芳香剤パッケージ１９を収容室２０内に収容できる。従って、芳香剤パッケージ１９の紛失を防止できるとともに、芳香成分の無駄な消費を抑制でき、そして、香りの放出が必要なときには、芳香剤パッケージ１９の表裏を反転させて収容室２０に収容しなおせばよい。
【００３９】
なお、前記芳香剤パッケージ１９として、消臭あるいは脱臭機能を有するものを用いれば、車室内の空気や、座席シートの消臭あるいは脱臭を行うことができる。
（変更例）
なお、この実施形態は、次のように変更して具体化することも可能である。
【００４０】
・  図１に２点鎖線で示すように、芳香剤パッケージ１９の収容室２０を、空気通路１６の上部近傍、左側近傍、右側近傍等の実施形態とは異なった位置に設けること。
・  芳香剤パッケージ１９の収容室２０をレジスタ本体１４と一体に形成することなく別体で形成して、空気通路１６と近接するように、レジスタ本体１４の外面に連設配置すること。
【００４１】
・  芳香剤２４を備えた芳香剤パッケージ１９のほかに、芳香剤２４を備えないダミーパッケージを用意し、芳香作用を必要としないとき、このダミーパッケージを収容室２０内に収容できるようにすること。
【００４２】
・  プッシュオープン機構２７を省略すること。
【図面の簡単な説明】
【００４３】
【図１】一実施形態の空調用レジスタを示す車両のインストルメントパネル部分の斜視図。
【図２】図１の２−２線における部分拡大断面図。
【図３】図２の３−３線における断面図。
【図４】図２の４−４線における部分断面図。
【図５】芳香剤パッケージの関連構成を分解して示す斜視図。
【符号の説明】
【００４４】
１１…インストルメントパネル、１２，１３…空調用レジスタ、１４…レジスタ本体、１６…空気通路、１６ａ…空気吹出口、１９…芳香剤パッケージ、２０…収容室、２０ａ…パッケージ出入口、２１…連通口、２２…パッケージ本体、２３…凹所、２４…芳香剤、２６…係止片、２７…プッシュオープン機構、２８…作動板、２９…係合ピン、３１…溝カム、Ｐ１…収容位置。
【図１】
2005125872.tif 000003
【図２】
2005125872.tif 000004
【図３】
2005125872.tif 000005
【図４】
2005125872.tif 000006
【図５】
2005125872.tif 000007